(57)【要約】【課題】携帯電話やＰＤＡなどに用いる昇圧型の電圧変換装置において、電圧変換動作を停止した時の無効電流を低減することに加え、軽負荷時に発生する出力端から電源への電流の逆流を防ぐための制御機能を有することにより電力効率を高めることを目的とする。【解決手段】昇圧用コイルと出力端のスイッチング用トランジスタのソースとドレインの電位を比較して出力端から電源への電流の逆流が発生する状態が発生した場合はスイッチング用トランジスタをオフさせるよう動作する制御回路を有することで軽負荷時に発生する出力端から電源への電流の逆流を防ぐ。【選択図】図１
2005253254.tif 000002
【特許請求の範囲】
【請求項１】
昇圧出力から電源への電流逆流を防ぐための制御機能を具備したことを特徴とする電圧変換装置。
【請求項２】
前記請求項１に記載する制御機能を電源から昇圧用コイルに供給した電力を出力端へ伝えるためのスイッチング用トランジスタのソース電位とドレイン電位を比較することで行う電圧変換装置。
【請求項３】
前記請求項２に記載する制御機能を電源から昇圧用コイルに供給した電力を出力端へ伝えるためのスイッチング用トランジスタのソース電位とドレイン電位の比較をするコンパレータとそのコンパレータの出力を保持するＤ−ＦＦ回路と出力端の電圧レベルによりスイッチングトランジスタの制御信号を発生する制御回路Ａの出力と前記Ｄ−ＦＦ回路の出力をＯＲするＯＲ回路と前記制御回路Ａの出力状態により前記Ｄ−ＦＦ回路をリセットするためのインバータ回路により構成する電圧変換回路。
【発明の詳細な説明】
【技術分野】
【０００１】
本発明は携帯電話やＰＤＡなどに用いる昇圧型の電圧変換装置において、電圧変換動作を停止した時の無効電流を低減することに加え、軽負荷時に発生する出力端から電源への電流の逆流を防ぐための制御機能を有することにより電力効率を高めることができる電圧変換装置に関するものである。
【背景技術】
【０００２】
携帯電話やＰＤＡなどのシステムでは電池電圧を昇圧する電圧変換装置を具備している。この様なシステムでは電池の寿命を延ばすために電圧変換装置の電力変換効率をより高くすることと電圧変換動作を停止した時の無効電力低減が求められる。
【０００３】
一般に電池から昇圧コイルを介して出力に電力を供給する場合には昇圧用コイルと出力端の間にスイッチング素子を配置している。
【０００４】
以下、従来の電圧変換装置について図面を参照しながら説明する。
【０００５】
図４は従来の電圧変換装置の第一の構成を示すものである。
【０００６】
図４において１１０は電源、１２０は昇圧用コイル、１３０はトランジスタ、１４０はダイオード、１５０はコンデンサ、１６０は出力端、１７０は抵抗、１８０は抵抗、１９０は制御回路Ａ、２１０は制御端子である。
【０００７】
電源１１０は昇圧用コイル１２０に接続され、昇圧用コイル１２０の他端はトランジスタ１３０のドレインとダイオード１４０のカソードに接続され、トランジスタ１３０のソースとバルクは接地され、ダイオード１４０のアノードはコンデンサ１５０と出力端１６０と抵抗１７０に接続され、コンデンサ１５０の他端は接地され、抵抗１７０の他端は抵抗１８０に接続され、抵抗１８０の他端は接地され、抵抗１７０と抵抗１８０の接続点は出力端１６０の電圧モニターのために制御回路Ａ１９０に接続され、トランジスタ１３０のゲートは制御信号を得るために制御回路Ａ１９０に接続され、制御端子２１０は制御回路Ａ１９０に昇圧動作をＯＮ／ＯＦＦする制御信号を入力するために接続される。
【０００８】
以上のように構成された電圧変換装置について、以下その動作を示す。
【０００９】
図４に示す従来の構成の電圧変換装置は昇圧動作時には電源１１０から昇圧用コイル１２０を介し、さらにトランジスタ１３０を介して接地電位に電流を流すことで昇圧用コイル１２０に電力を蓄積する。次にトランジスタ１３０をオフすることでその蓄積された電力はダイオード１４０を介してコンデンサ１５０に移動され出力端１６０に電位を発生する。出力端１６０の電圧は抵抗１７０と抵抗１８０により接地電位に対して分圧した電位として制御回路Ａ１９０に入力される。制御回路Ａ１９０は前記分圧した電位がある閾値に対して高い場合はトランジスタ１３０をオフさせ、低い場合はＯＮさせるようにトランジスタ１３０のゲートを制御する。出力端１６０は前記トランジスタ１３０のオン・オフ動作の繰り返しにより昇圧用コイル１２０に蓄積する電力量が調整されることで昇圧電位を一定に保つように動作する。昇圧動作停止時には制御端子２１０から制御回路Ａ１９０に制御信号を与えることでトランジスタ１３０がオフするよう制御回路Ａ１９０に制御動作させる。
【００１０】
図５は従来の電圧変換装置の第二の構成を示すものである。
【００１１】
図５において１１０は電源、１２０は昇圧用コイル、１３０はトランジスタ、１５０はコンデンサ、１６０は出力端、１７０は抵抗、１８０は抵抗、１９０は制御回路Ａ、２１０は制御端子、２２０はトランジスタ、２３０はトランジスタ、２４０はトランジスタ、２５０はインバータ回路である。
【００１２】
電源１１０は昇圧用コイル１２０に接続され、昇圧用コイル１２０の他端はトランジスタ１３０のドレインとトランジスタ２２０のソースとトランジスタ２３０のソースおよびバルクに接続され、トランジスタ１３０のソースとバルクは接地され、トランジスタ２２０のドレインはコンデンサ１５０と出力端１６０と抵抗１７０とトランジスタ２４０のソースおよびバルクに接続され、トランジスタ２３０のドレインとトランジスタ２４０のドレインとトランジスタ２２０のバルクは接続され、トランジスタ２３０のゲートはインバータ回路２５０の出力に接続され、制御端子２１０はトランジスタ２４０のゲートとインバータ回路２５０の入力に接続され、コンデンサ１５０の他端は接地され、抵抗１７０の他端は抵抗１８０に接続され、抵抗１８０の他端は接地され、抵抗１７０と抵抗１８０の接続点は出力端１６０の電圧モニターのために制御回路Ａ１９０に接続され、制御端子２１０は制御回路Ａ１９０に昇圧動作をＯＮ／ＯＦＦする制御信号を入力するために接続され、トランジスタ１３０のゲートとトランジスタ２２０のゲートは互いに逆相でオン／オフするよう制御回路Ａに接続される。
【００１３】
以上のように構成された電圧変換装置について、以下その動作を示す。
【００１４】
基本的な昇圧動作は先に記した図４の第一の従来構成の動作と同様であるため省略する。
【００１５】
第二の従来構成では第一の従来構成のダイオード１４０をトランジスタ２２０にし、トランジスタ２２０のバルクをトランジスタ２３０とトランジスタ２４０によりトランジスタ２２０のソース側に接続するかトランジスタ２２０のドレイン側に接続するかを制御端子２１０の制御信号により切り替えている。昇圧動作時には制御回路Ａ１９０は出力端１６０の電位が一定になるようにトランジスタ１３０のオン／オフとトランジスタ２２０のオン／オフ制御を行う。トランジスタ１３０の動作制御は第一の従来構成の動作と同様である。トランジスタ２２０の制御はトランジスタ１３０のオン／オフと逆相で行われることで第一の従来構成のダイオード１４０と同じ役割をはたす。トランジスタ２２０のバルクは昇圧動作時には高電位側である出力端１６０の電位に接続する。そのためトランジスタ２３０とトランジスタ２４０は制御端子２１０の制御信号とインバータ回路２５０により作られる前記制御信号の逆相信号によりトランジスタ２４０はオン、トランジスタ２３０はオフするように制御される。トランジスタ２２０のバルクは昇圧動作停止時には高電位側である電源１１０の電位に昇圧用コイル１２０を介して接続する。そのためトランジスタ２３０とトランジスタ２４０は制御端子２１０の制御信号とインバータ回路２５０により作られる前記制御信号の逆相信号によりトランジスタ２４０はオフ、トランジスタ２３０はオンするように制御される。
【００１６】
なお、この出願に関する先行技術文献情報としては、例えば、特許文献１が知られている。
【特許文献１】特開平８−２５１９１３号公報
【発明の開示】
【発明が解決しようとする課題】
【００１７】
しかしながら第一の従来構成では昇圧動作停止時に電源１１０から昇圧用コイル１２０とダイオード１４０を介して出力端１６０につながる負荷に電力を供給してしまうため無効電力が発生し問題である。
【００１８】
第二の従来構成はトランジスタ２２０をスイッチング素子として用いるため昇圧動作停止時にトランジスタ２２０をオフするよう制御することで昇圧動作停止時の出力端１６０につながる負荷への無効電力が発生しないため第一の従来構成の課題を解決できる。
【００１９】
しかしながら第二の従来構成では軽負荷時の昇圧効率が低下する。
【００２０】
昇圧動作時にトランジスタ２２０がオンして昇圧用コイル１２０に蓄えられた電力を出力端１６０につながる負荷に供給すると昇圧用コイル１２０の電力が時間とともに減少し最終的に出力端１６０へ供給する電力は０になる。
【００２１】
軽負荷の場合出力端１６０につながる負荷への電力供給をコンデンサ１５０が行うことで出力端１６０の電位の低下に時間がかかるため、昇圧用コイル１２０の電力が０になっても出力端１６０の電位が高く再度昇圧用コイル１２０に電力を蓄えるために制御回路Ａ１９０が動作する閾値まで出力端１６０の電位が下がっていない状態が発生する。
【００２２】
その結果出力端１６０からトランジスタ２２０を介して電源１１０に逆流電流が流れることになり昇圧効率が低下し問題である。
【００２３】
図６は第一の従来の構成の要部波形図である。
【００２４】
Ａは電源１１０と昇圧用コイル１２０の接続部の電位波形、Ｂは出力端１６０の電位波形、Ｃは昇圧用コイル１２０とトランジスタ１３０とダイオード１４０の接続部の電位波形、Ｄはトランジスタ１３０のゲートの電位波形、Ｅは制御端子２１０の電位波形である。
【００２５】
昇圧動作停止の区間では電源１１０から昇圧用コイル１２０を介して出力端１６０につながる負荷へ無効電力の供給が行われ問題である。
【００２６】
図７は第二の従来の構成の要部波形図である。
【００２７】
Ａは電源１１０と昇圧用コイル１２０の接続部の電位波形、Ｂは出力端１６０の電位波形、Ｃは昇圧用コイル１２０とトランジスタ１３０とトランジスタ２２０とトランジスタ２５０の接続部の電位波形、Ｄはトランジスタ１３０のゲートの電位波形、Ｅは制御端子２１０の電位波形、Ｆはトランジスタ２２０のゲートの電位波形である。
【００２８】
昇圧動作停止の区間ではトランジスタ２２０をオフしているため電源１１０から昇圧用コイル１２０を介して出力端１６０につながる負荷に電力を供給することはなくなる。
【００２９】
一方昇圧動作区間では昇圧用コイル１２０がトランジスタ２２０を介して出力端１６０に電力を供給すると時間とともに昇圧用コイルの電力は減少しＢの電位は下がる。軽負荷の場合出力端１６０の電位はコンデンサ１５０に蓄えられた電荷で電力供給されるため図７にあるようにトランジスタ２２０がオンした状態でＣの電位がＢの電位より下がる状態が発生する。この状態では出力端１６０から電源１１０に向けて電流が発生するため昇圧効率が低下し問題である。
【００３０】
本発明は、上記課題を解決するもので携帯電話やＰＤＡなどに用いる昇圧型の電圧変換装置において、電圧変換動作を停止した時の無効電流を低減することとに加え、軽負荷時に発生する出力端から電源への電流の逆流を防ぐための制御機能を有することにより電力効率を高めることができる電圧変換装置に関するものである。
【課題を解決するための手段】
【００３１】
この目的を達成するために、本発明は昇圧用コイルと出力端をつなぐスイッチング用トランジスタのソースとドレインの電位を比較して出力端から電源への電流の逆流が発生する状態が発生した場合はスイッチング用トランジスタをオフさせるよう動作する制御回路を有することを特徴としている。この構成により軽負荷時に発生する出力端から電源への電流の逆流を防ぎ電力効率を高めることができる。
【発明の効果】
【００３２】
本発明は昇圧用コイルと出力端をつなぐスイッチング用トランジスタのソースとドレインの電位を比較して出力端から電源への電流の逆流が発生する状態が発生した場合はスイッチング用トランジスタをオフさせるよう動作する制御回路を有することで軽負荷時に発生する出力端から電源への電流の逆流を防ぎ電力効率を高めることができる電圧変換回路を実現するものである。
【発明を実施するための最良の形態】
【００３３】
以下、本発明の一実施形態について図面を参照しながら説明する。
【００３４】
図１は本発明の一実施形態における電圧変換装置の構成図を示すものである。図１において１１０は電源、１２０は昇圧用コイル、１３０はトランジスタ、１５０はコンデンサ、１６０は出力端、１７０は抵抗、１８０は抵抗、１９０は制御回路Ａ、２１０は制御端子、２２０はトランジスタ、２３０はトランジスタ、２４０はトランジスタ、２５０はインバータ回路、２６０は制御回路Ｂである。
【００３５】
電源１１０は昇圧用コイル１２０に接続され、昇圧用コイル１２０の他端はトランジスタ１３０のドレインとトランジスタ２２０のソースとトランジスタ２３０のソースおよびバルクと制御回路Ｂ２６０に接続され、トランジスタ１３０のソースとバルクは接地され、トランジスタ２２０のドレインはコンデンサ１５０と出力端１６０と抵抗１７０とトランジスタ２４０のソースおよびバルクと制御回路Ｂ２６０に接続され、トランジスタ２３０のドレインとトランジスタ２４０のドレインとトランジスタ２２０のバルクは接続され、トランジスタ２３０のゲートはインバータ回路２５０の出力に接続され、制御端子２１０はトランジスタ２４０のゲートとインバータ回路２５０の入力に接続され、コンデンサ１５０の他端は接地され、抵抗１７０の他端は抵抗１８０に接続され、抵抗１８０の他端は接地され、抵抗１７０と抵抗１８０の接続点は出力端１６０の電圧モニターのために制御回路Ａ１９０に接続され、制御端子２１０は制御回路Ａ１９０に昇圧動作をＯＮ／ＯＦＦする制御信号を入力するために接続され、トランジスタ１３０は制御回路Ａ１９０にオン／オフ制御されるために接続され、トランジスタ２２０のゲートは制御回路Ｂ２６０を介して制御回路Ａ１９０にトランジスタ１３０のオン／オフ制御と逆相で制御されるために接続される。
【００３６】
以上のように構成された電圧変換装置について、以下その動作を説明する。
【００３７】
基本的な昇圧動作は先に記した図５の第二の従来構成の動作と同様であるため省略する。
【００３８】
本発明の構成では第二の従来の構成に制御回路Ｂ２６０を加えている。制御回路Ｂ２６０は昇圧動作時トランジスタ２２０のドレインとソースの電位を比較している。制御回路Ａ１９０がトランジスタ２２０をオンさせるように制御してかつトランジスタ２２０のドレイン電位がソース電位より高い場合（昇圧用コイル１２０から出力端１６０へ電流が流れる状態）はトランジスタ２２０をオンさせる制御回路Ａ１９０の制御出力が制御回路Ｂ２６０を介してトランジスタ２２０のゲートに伝達される。制御回路Ａ１９０がトランジスタ２２０をオンさせるように制御してかつトランジスタ２２０のドレイン電位がソース電位より低い場合（昇圧用コイル１２０から出力端１６０へ電流が逆流する状態）は制御回路Ａ１９０の制御信号がトランジスタ２２０をオンするように制御していても制御回路Ｂ２６０がトランジスタ２２０がオフするように制御をする。制御回路Ａ１９０がトランジスタ２２０をオフさせるように制御している場合は制御回路Ａ１９０の制御出力は制御回路Ｂ２６０を介してトランジスタ２２０のゲートにそのまま伝達される。昇圧動作停止時はトランジスタ２２０をオフさせる制御回路Ａ１９０の制御信号が制御回路Ｂ２６０を介してそのままトランジスタ２２０のゲートに伝達される。
【００３９】
この構成の場合トランジスタ２２０のドレイン電位がソース電位より低い場合はトランジスタ２２０がオフするように動作するため第二の従来の構成で課題であった軽負荷時の昇圧動作における出力端１６０から電源１１０への電流の逆流の発生を防ぐことができる。
【００４０】
図２は本発明の動作状態図である。
【００４１】
Ａは電源１１０と昇圧用コイル１２０の接続部の電位波形、Ｂは出力端１６０の電位波形、Ｃは昇圧用コイル１２０とトランジスタ１３０とトランジスタ２２０とトランジスタ２５０の接続部の電位波形、Ｄはトランジスタ１３０のゲートの電位波形、Ｅは制御端子２１０の電位波形、Ｆはトランジスタ２２０のゲートの電位波形、Ｇは制御回路Ａ１９０から制御回路Ｂ２６０への制御信号の電位波形である。
【００４２】
昇圧動作停止の区間ではトランジスタ２２０をオフしているため電源１１０から昇圧用コイル１２０を介して出力端１６０につながる負荷に電力を供給することはなくなる。
【００４３】
一方昇圧動作区間では昇圧用コイル１２０がトランジスタ２２０を介して出力端１６０に電力を供給すると時間とともに昇圧用コイルの電力は減少しＢの電位は下がる。軽負荷の場合出力端１６０の電位はコンデンサ１５０に蓄えられた電荷で電力供給されるため図２にあるようにトランジスタ２２０がオンした状態でＣの電位がＢの電位より下がる状態が発生するが、本発明の構成ではＦのようにＣの電位がＢの電位より下がった場合トランジスタ２２０をオフするように制御するため出力端１６０から電源１１０へ逆流電流が発生しない。
【００４４】
図３は先に動作を説明した図１の電圧変換装置において制御回路Ｂ２６０の具体的構成を示す図である。
【００４５】
図３において１１０は電源、１２０は昇圧用コイル、１３０はトランジスタ、１５０はコンデンサ、１６０は出力端、１７０は抵抗、１８０は抵抗、１９０は制御回路Ａ、２１０は制御端子、２２０はトランジスタ、２３０はトランジスタ、２４０はトランジスタ、２５０はインバータ回路、２６０は制御回路Ｂ、３１０はコンパレータ、３２０はＤ−ＦＦ回路、３３０は電源端、３４０はインバータ回路、３５０はＯＲ回路である。
【００４６】
電源１１０は昇圧用コイル１２０に接続され、昇圧用コイル１２０の他端はトランジスタ１３０のドレインとトランジスタ２２０のソースとトランジスタ２３０のソースおよびバルクと制御回路Ｂ２６０に接続され、トランジスタ１３０のソースとバルクは接地され、トランジスタ２２０のドレインはコンデンサ１５０と出力端１６０と抵抗１７０とトランジスタ２４０のソースおよびバルクと制御回路Ｂ２６０に接続され、トランジスタ２３０のドレインとトランジスタ２４０のドレインとトランジスタ２２０のバルクは接続され、トランジスタ２３０のゲートはインバータ回路２５０の出力に接続され、制御端子２１０はトランジスタ２４０のゲートとインバータ回路２５０の入力に接続され、コンデンサ１５０の他端は接地され、抵抗１７０の他端は抵抗１８０に接続され、抵抗１８０の他端は接地され、抵抗１７０と抵抗１８０の接続点は出力端１６０の電圧モニターのために制御回路Ａ１９０に接続され、制御端子２１０は制御回路Ａ１９０に昇圧動作をＯＮ／ＯＦＦする制御信号を入力するために接続され、トランジスタ１３０は制御回路Ａ１９０にオン／オフ制御されるために接続され、トランジスタ２２０のゲートは制御回路Ｂ２６０を介して制御回路Ａ１９０にトランジスタ１３０のオン／オフ制御と逆相で制御されるために接続される。制御回路２６０はコンパレータ３１０、Ｄ−ＦＦ回路３２０、電源端３３０、インバータ回路３４０、ＯＲ回路３５０から構成される。コンパレータ３３０の＋入力は出力端１６０に接続され、−入力端は昇圧用コイル１２０の電源１１０につながる端と反対の端に接続され、コンパレータ３１０の出力はＤ−ＦＦ回路３２０のクロック入力に接続され、Ｄ−ＦＦ回路３２０のデータ入力は電源端３３０に接続され、Ｄ−ＦＦ回路３２０のリセット入力はインバータ回路３４０の出力に接続され、Ｄ−ＦＦ回路３２０のＱ出力はＯＲ回路３５０の入力に接続され、ＯＲ回路３５０の他の入力はトランジスタ２２０のゲートを制御するための制御信号を得るために制御回路Ａ１９０に接続され、ＯＲ回路３５０の出力はトランジスタ２２０のゲートに接続され、インバータ回路３４０の入力は制御回路Ａ１９０にトランジスタ２２０のゲート制御と同様に制御されるように接続する。
【００４７】
以上のように構成された本発明の一実施形態の電圧変換装置について、以下その動作を説明する。
【００４８】
基本的な動作は先に記した図１の本発明の一実施形態の構成の動作と同様であるため省略する。コンパレータ３１０は昇圧動作時トランジスタ２２０のドレインとソースの電位を比較している。コンパレータ３１０の出力は制御回路Ａ１９０がトランジスタ２２０をオンさせるように制御してかつトランジスタ２２０のドレイン電位がソース電位より高い場合（昇圧用コイル１２０から出力端１６０へ電流が流れる状態）はＬＯＷレベルを出力し、制御回路Ａ１９０がトランジスタ２２０をオンさせるように制御してかつトランジスタ２２０のドレイン電位がソース電位より低い場合（昇圧用コイル１２０から出力端１６０へ電流が逆流する状態）はＨＩＧＨレベルを出力する。
【００４９】
軽負荷の昇圧動作の場合出力端１６０につながる負荷への電力供給をコンデンサ１５０が行うことで出力端１６０の電位の低下に時間がかかるため、昇圧用コイル１２０の電力が０になっても出力端１６０の電位が高く再度昇圧用コイル１２０に電力を蓄えるために制御回路Ａ１９０が動作する閾値まで出力端１６０の電位が下がっていない状態が発生する。この状態を挟んでトランジスタ２２０のソースとドレインの電位関係に逆転が起こるためコンパレータ３１０の出力はＬＯＷレベルからＨＩＧＨレベルへ切り替わりＤ−ＦＦ回路３２０にクロックをエッジを与える。Ｄ−ＦＦ回路３２０のデータ入力は電源端３３０につられているためＱ出力はＬＯＷレベルからＨＩＧＨレベルへ切り替わる。この時制御回路Ａ１９０はトランジスタ２２０をオンさせる制御信号としてＬＯＷレベルを出力しているがＤ−ＦＦ回路３２０のＱ出力とＯＲ回路３５０においてＯＲされているためＯＲ回路３５０の出力はＨＩＧＨレベルつまりトランジスタ２２０をオフさせるよう動作する。
【００５０】
出力端１６０の電位が軽負荷によりいずれ下がると制御回路Ａ１９０はトランジスタ１３０をオンしトランジスタ２２０をオフさせるよう制御を行うがＤ−ＦＦ回路３２０のＱ出力がＨＩＧＨではＯＲ回路３５０によりトランジスタ２２０をオフさせることができない。そこでインバータ３４０の入力にトランジスタ２２０をオンさせる制御信号と同相の制御信号を与えることでインバータ回路３４０の出力はＨＩＧＨレベルからＬＯＷレベルに切り替わりＤ−ＦＦ回路３２０をリセットし、Ｑ出力はＨＩＧＨレベルからＬＯＷレベルに切り替わる。したがってＯＲ回路３５０は制御回路Ａ１９０の制御出力をそのままトランジスタ２２０に伝えるように働きトランジスタ２２０はオフされる。
【００５１】
以上、制御回路Ｂ２６０の動作によりトランジスタ２２０のソースとドレインの電位関係に逆転が発生しても出力端１６０から電源１１０への逆流電流の発生を防止することができる昇圧動作を行うことが出来る。
【産業上の利用可能性】
【００５２】
本発明は昇圧用コイルと出力端をつなぐスイッチング用トランジスタのソースとドレインの電位を比較して出力端から電源への電流の逆流が発生する状態が発生した場合はスイッチング用トランジスタをオフさせるよう動作する制御回路を有することで軽負荷時に発生する出力端から電源への電流の逆流を防ぎ電力効率を高めることができる電圧変換回路を実現するものである。
【図面の簡単な説明】
【００５３】
【図１】本発明の一実施形態における電圧変換装置図
【図２】本発明の一実施形態における電圧変換装置の要部波形図
【図３】本発明の一実施形態における第二の電圧変換装置図
【図４】従来の一実施形態における第一の電圧変換装置図
【図５】従来の一実施形態における第二の電圧変換装置図
【図６】従来の一実施形態における第一の電圧変換装置の要部波形図
【図７】従来の一実施形態における第二の電圧変換装置の要部波形図
【符号の説明】
【００５４】
１１０  電源
１２０  昇圧用コイル
１３０  トランジスタ
１４０  ダイオード
１５０  コンデンサ
１６０  出力端
１７０  抵抗
１８０  抵抗
１９０  制御回路Ａ
２１０  制御端子
２２０  トランジスタ
２３０  トランジスタ
２４０  トランジスタ
２５０  インバータ回路
２６０  制御回路Ｂ
３１０  コンパレータ
３２０  Ｄ−ＦＦ回路
３３０  電源端
３４０  インバータ回路
３５０  ＯＲ回路
【図１】
2005253254.tif 000003
【図２】
2005253254.tif 000004
【図３】
2005253254.tif 000005
【図４】
2005253254.tif 000006
【図５】
2005253254.tif 000007
【図６】
2005253254.tif 000008
【図７】
2005253254.tif 000009